(57)【要約】【課題】運搬容積を大きくすることができるとともに、昇降路内の空間の拡大を防止することができるエレベータ装置を得る。【解決手段】昇降路１内には、第１のかご４及び第２のかご５が昇降可能に配置されている。第２のかご５は、開口部１０が設けられたかご室１２と、開口部１０を塞ぐ閉塞体１３とを有している。閉塞体１３は、かご室１２からかご室拡大部１６として突出する拡大位置と、拡大位置よりもかご室１２側に位置する通常位置との間で変位可能になっている。閉塞体１３は、昇降路１の垂直投影面内において、拡大位置にあるときに第１のかご４に一部が重なり、通常位置にあるときに第１のかご４の領域外に配置されている。【選択図】図１
2010254479.tif 000002
【特許請求の範囲】
【請求項１】
昇降路内を昇降される第１のかご、及び
開口部が設けられ、上記昇降路の垂直投影面内において上記第１のかごの領域外に配置されたかご室と、上記かご室からかご室拡大部として突出する拡大位置と上記拡大位置よりも上記かご室側に位置する通常位置との間で変位可能で、かつ上記開口部を塞ぐ閉塞体とを有する第２のかご
を備え、
上記閉塞体は、上記昇降路の垂直投影面内において、上記拡大位置にあるときに一部が上記第１のかごの領域と重なり、上記通常位置にあるときに上記第１のかごの領域外に配置されていることを特徴とするエレベータ装置。
【請求項２】
上記閉塞体は、上記開口部の一対の側部にそれぞれ回動自在に設けられた一対の回動壁と、各上記回動壁の回動側の端部間に接続され、各上記回動壁の回動により伸縮可能な伸縮体とを有し、各上記回動壁が上記かご室の外側へ回動されて上記伸縮体が引き伸ばされることにより上記拡大位置へ変位され、各上記回動壁の端部が互いに近づく方向へ各上記回動壁が回動されて上記伸縮体が各上記回動壁の間に縮められることにより上記通常位置へ変位されるようになっていることを特徴とする請求項１に記載のエレベータ装置。
【請求項３】
上記閉塞体は、上記開口部に対向し上記開口部に対して往復変位可能な対向壁と、上記開口部の一対の側部及び上記対向壁間にそれぞれ接続され、上記対向壁の変位により伸縮可能な伸縮体とを有し、上記対向壁が上記かご室から離れる方向へ変位されて上記伸縮体が引き伸ばされることにより上記拡大位置へ変位され、上記対向壁が上記かご室に近づく方向へ変位されて上記伸縮体が縮められることにより上記通常位置へ変位されるようになっていることを特徴とする請求項１に記載のエレベータ装置。
【請求項４】
上記閉塞体は、上記開口部の上部に対して往復変位可能な可動天井と、上記開口部の下部に対して往復変位可能な可動床とをさらに有し、上記可動天井及び上記可動床が上記かご室から離れる方向へ変位されることにより上記拡大位置へ変位され、上記可動天井及び上記可動床が上記かご室に近づく方向へ変位されることにより上記通常位置へ変位されるようになっていることを特徴とする請求項２又は請求項３に記載のエレベータ装置。
【請求項５】
上記閉塞体は、上記開口部の上部に回動自在に設けられた回動天井と、上記開口部の下部に回動自在に設けられた回動床とをさらに有し、上記回動天井及び上記回動床が上記かご室の外側へ回動されることにより上記拡大位置へ変位され、上記回動天井及び上記回動床が上記拡大位置よりも上記かご室側へ回動されることにより上記通常位置へ変位されるようになっていることを特徴とする請求項２又は請求項３に記載のエレベータ装置。
【発明の詳細な説明】
【技術分野】
【０００１】
この発明は、かごが昇降路内を昇降されるエレベータ装置に関するものである。
【背景技術】
【０００２】
従来のエレベータ装置では、例えば大きな荷物等を運搬するためにトランク室がかご室の奥に設けられることがある。トランク室とかご室との間には、一対の回動扉が設けられている（例えば、特許文献１参照）。
【先行技術文献】
【特許文献】
【０００３】
【特許文献１】特開平１０−１６７６３２号公報
【発明の概要】
【発明が解決しようとする課題】
【０００４】
このようなエレベータ装置では、かご室の奥にトランク室が常設されているので、トランク室の分だけ昇降路の水平方向のスペースを大きくしなければならない。これにより、エレベータ装置全体の省スペース化の妨げとなっていた。
【０００５】
この発明は、上記のような問題点を解決することを課題としてなされたものであり、運搬容積を大きくすることができるとともに、昇降路内の空間の拡大を防止することができるエレベータ装置を得ることを目的とする。
【課題を解決するための手段】
【０００６】
この発明に係るエレベータ装置は、昇降路内を昇降される第１のかご、及び開口部が設けられ、昇降路の垂直投影面内において第１のかごの領域外に配置されたかご室と、かご室からかご室拡大部として突出する拡大位置と上記拡大位置よりもかご室側に位置する通常位置との間で変位可能で、かつ開口部を塞ぐ閉塞体とを有する第２のかごを備え、閉塞体は、昇降路の垂直投影面内において、拡大位置にあるときに一部が第１のかごの領域と重なり、通常位置にあるときに第１のかごの領域外に配置されている。
【発明の効果】
【０００７】
この発明に係るエレベータ装置では、閉塞体は、昇降路の垂直投影面内において、拡大位置にあるときに一部が第１のかごの領域に重なり、通常位置にあるときに第１のかごの領域外に配置されているので、閉塞体を通常位置に変位させることにより第１のかごと第２のかごとがすれ違い可能に昇降路内を昇降させることができるとともに、閉塞体を拡大位置に変位させることにより、第１のかごが昇降される領域にまで第２のかごを拡大させて運搬容積を大きくすることができる。従って、昇降路内の空間の拡大を防止することができるとともに、第２のかごの運搬容積を大きくすることができる。
【図面の簡単な説明】
【０００８】
【図１】この発明の実施の形態１によるエレベータ装置を示す平面図である。
【図２】図１のかご室及び閉塞体を示す斜視図である。
【図３】図２のかご室及び閉塞体を示す要部縦断面図である。
【図４】図２のかご室及び閉塞体を示す要部横断面図である。
【図５】図１の第１のかごが昇降路内の最上階で停止されている状態を示す正面図である。
【図６】図１の第１のかごが昇降路内の最下階で停止されている状態を示す正面図である。
【図７】この発明の実施の形態２によるエレベータのかごを示す要部横断面図である。
【図８】この発明の実施の形態３によるエレベータのかごを示す要部横断面図である。
【図９】図８の多段式スライド壁の他の例を示す横断面図である。
【図１０】この発明の実施の形態４によるエレベータのかごを示す斜視図である。
【図１１】図１０のエレベータのかごを示す要部縦断面図である。
【発明を実施するための形態】
【０００９】
実施の形態１．
図１は、この発明の実施の形態１によるエレベータ装置を示す平面図である。図において、昇降路１内には、一対の第１のかごガイドレール２と、一対の第２のかごガイドレール３とが設置されている（図１）。第１のかご４は各第１のかごガイドレール２に案内されて昇降路１内を昇降され、第２のかご５は各第２のかごガイドレール３に案内されて昇降路１内を昇降される。なお、昇降路１内には、エレベータの運転を制御する制御盤（図示せず）が設置されている。
【００１０】
第１のかご４は、かご出入口６が設けられたかご室７と、かご室７を囲むかご枠８とを有している。第１のかご４には、かご出入口６を開閉する一対のかごの戸９が搭載されている。
【００１１】
第２のかご５は、開口部１０及びかご出入口１１が設けられたかご室１２と、開口部１０を塞ぐ可動式の閉塞体１３と、かご室１２を囲むかご枠１４とを有している。なお、昇降路１の垂直投影面内においては、開口部１０はかご室１２の第１のかご４側の壁に設けられ、かご出入口１１はかご室１２の乗場１５側の壁に設けられている。
【００１２】
閉塞体１３は、かご室１２からかご室拡大部１６として突出する拡大位置（図１の実線）と、拡大位置よりもかご室１２側に位置し、かご室壁面部１７として開口部１０を塞ぐ通常位置（図１の二点破線）との間で変位可能になっている。また、閉塞体１３は、昇降路１の垂直投影面内において、拡大位置にあるとき、即ちかご室拡大部１６とされているときに一部が第１のかご４の領域と重なり、通常位置にあるとき、即ちかご室壁面部１７とされているときに第１のかご４の領域外に配置されるようになっている。なお、かご枠１４は、閉塞体１３との干渉を防止するために、かご室１２の奥行き方向前端部（かご室１２のかご出入口１１に近い部分）に配置されている。また、この例では、閉塞体１３は、拡大位置にあるときにかご出入口１１の間口方向外側にかご室１２から突出するようになっている。また、第２のかご５には、かご出入口１１を開閉する一対のかごの戸３４が搭載されている。
【００１３】
図２は、図１のかご室１２及び閉塞体１３を示す斜視図である。また、図３は図２のかご室１２及び閉塞体１３を示す要部縦断面図、図４は図２のかご室１２及び閉塞体１３を示す要部横断面図である。図において、かご室１２は、かご室床１８と、かご室床１８の上方に配置されたかご室天井１９と、かご室床１８とかご室天井１９との間に設けられたかご室壁２０とを有している。開口部１０及びかご出入口１１は、かご室壁２０に設けられている（図４）。
【００１４】
閉塞体１３は、開口部１０の一対の側部１０ａ，１０ｂにヒンジ２１を介してそれぞれ設けられた一対の回動壁２２と、各回動壁２２の回動側の端部（回動により大きく変位される側の各回動壁２２の端部）間に連結され、各回動壁２２の回動により伸縮される伸縮体であるリンク構造体２３と、かご室床１８に往復変位可能に設けられた可動床２４と、かご室天井１９に往復変位可能に設けられた可動天井２５とを有している。
【００１５】
かご室床１８は、可動床２４の少なくとも一部が内部に収容される床収容部２６と、床収容部２６の内面に設けられ、床収容部２６に対して可動床２４を水平方向へ円滑にスライドさせるための複数のローラ２７とを有している。また、かご室天井１９は、可動天井２５の少なくとも一部が内部に収容される天井収容部２８と、天井収容部２８の内面に設けられ、天井収容部２８に対して可動天井２５を水平方向へ円滑にスライドさせるための複数のローラ２９とを有している。
【００１６】
各回動壁２２は、かご室１２の外側へヒンジ２１を中心にそれぞれ回動されることにより拡大位置へ変位され、各回動壁２２の端部が互いに近づく方向へヒンジ２１を中心にそれぞれ回動されることにより通常位置へ変位されるようになっている。
【００１７】
リンク構造体２３は、複数の板材を交差させて回動自在に互いに連結することにより伸縮自在に構成された構造体である。また、リンク構造体２３は、各回動壁２２の通常位置への回動により各回動壁２２の間に縮められるようになっている。さらに、リンク構造体２３は、各回動壁２２の拡大位置への回動により引き伸ばされてかご室拡大部１６の一部とされるようになっている。この例では、拡大位置にあるときのリンク構造体２３は、開口部１０に対向するかご室拡大部１６の壁面とされている。
【００１８】
可動床２４は、水平に配置された床板部３０と、床板部３０の拡大側端部に設けられ、各回動壁２２と係合可能な係合部３１とを有している。また、可動床２４は、床板部３０がかご室１２の外側へ引き出される方向、即ちかご室１２から離れる方向へ変位されることにより拡大位置へ変位され、床板部３０が床収容部２６に収容される方向、即ちかご室１２に近づく方向へ変位されることにより通常位置へ変位されるようになっている。さらに、可動床２４は、係合部３１の各回動壁２２に対する係合により、各回動壁２２のかご室１２の外側への回動に伴ってかご室１２の外側へ引き出されるようになっている。なお、可動床２４の収容側端部には、かご室１２内へ通じる引き戻し用のひも（図示せず）が接続されており、かご室１２内でのひもの操作により可動床２４のかご室１２側への引き戻しが可能になっている。
【００１９】
可動天井２５は、水平に配置された天井板部３２と、天井板部３２の拡大側端部に設けられ、各回動壁２２と係合可能な係合部３３とを有している。また、可動天井２５は、天井板部３２がかご室１２の外側へ引き出される方向、即ちかご室１２から離れる方向へ変位されることにより拡大位置へ変位され、天井板部３２が天井収容部２８に収容される方向、即ちかご室１２に近づく方向へ変位されることにより通常位置へ変位されるようになっている。さらに、可動天井２５は、係合部３３の各回動壁２２に対する係合により、各回動壁２２のかご室１２の外側への回動に伴ってかご室１２の外側へ引き出されるようになっている。なお、可動天井２５の収容側端部には、かご室１２内へ通じる引き戻し用のひも（図示せず）が接続されており、かご室１２内でのひもの操作により可動天井２５のかご室１２側への引き戻しが可能になっている。
【００２０】
閉塞体１３が拡大位置にあるときには、かご室１１の外側へ引き出された可動床２４及び可動天井２５と、かご室１２の外側へ回動された各回動壁２２と、かご室１２の外側への各回動壁２２の回動により引き伸ばされたリンク構造体２３とによりかご室拡大部１６が形成されている。また、閉塞体１３が通常位置にあるときには、可動床２４がかご室床１８に収容され、可動天井２５がかご室天井１９に収容されているとともに、開口部１０を閉じる方向へ回動された各回動壁２２と、各回動壁２２間に縮められたリンク構造体２３とにより開口部１０が塞がれ、各回動壁２２及びリンク構造体２３によりかご室壁面部１７が形成されている。
【００２１】
なお、制御盤によるエレベータの運転は、第１のかご４及び第２のかご５を全昇降区間でそれぞれ独立して昇降させる通常運転モードと、第１のかご４を最上階に停止させて、最上階を除く昇降区間で第２のかご５のみを昇降させる拡大運転モードとの間で切り替え可能になっている。
【００２２】
次に、動作について説明する。
通常運転時では、閉塞体１３が通常位置に変位されており、第２のかご５は、昇降路１の垂直投影面内において、第１のかご４の領域外に配置されている。即ち、第１のかご４と第２のかご５とは、昇降路１内ですれ違い可能になっている。
【００２３】
例えば大きな荷物等を運搬する際には、まず、エレベータの運転モードを通常運転モードから拡大運転モードに切り替える。これにより、図５に示すように、第１のかご４が最上階に停止され、第２のかご５が最上階と異なる階に停止される。
【００２４】
この後、かご室１２の内部から外側へ各回動壁２２を押し、各回動壁２２をかご室１２の外側へ回動させる。これにより、リンク構造体２３が引き伸ばされ、可動床２４及び可動天井２５がかご室１２の外側へ引き出される。これにより、閉塞体１３は、通常位置から拡大位置へ変位され、かご室拡大部１６とされる。
【００２５】
この後、第２のかご５内に大きな荷物等を搬入し、行き先階まで運搬する。このときの行き先階は、最上階と異なる階とされる。
【００２６】
運搬後、リンク構造体２３が縮まる方向へ各回動壁２２を回動させ、かご室１２内でひもを引いて可動床２４及び可動天井２５をかご室１２側へ引き戻すことにより、閉塞体１３を拡大位置から通常位置へ変位させる。この後、エレベータの運転モードを通常運転モードに切り替える。
【００２７】
このようなエレベータ装置では、第２のかご５は、開口部１０が設けられたかご室１２と、開口部１０を塞ぐ閉塞体１３とを有し、閉塞体１３は、かご室１２からかご室拡大部１６として突出する拡大位置と、拡大位置よりもかご室側に位置する通常位置との間で変位可能になっているので、第２のかご５の大きさを必要に応じて変化させることができる。従って、例えば大形機器が昇降路１内に配置されている場合等に、第２のかご５を縮小することにより大形機器を避けて第２のかご５を昇降させることができる。また、大形機器が配置されていない部分では、第２のかご５を拡大することにより運搬容積を大きくすることができる。このようなことから、昇降路１内の空間の拡大を防止することができるとともに、第２のかご５の運搬容積を大きくすることができる。
【００２８】
また、閉塞体１３は、一対の回動壁２２と、各回動壁２２間に接続され、各回動壁２２の回動により伸縮されるリンク構造体２３とを有しているので、各回動壁２２を変位させるだけでかご室拡大部１６の開口部１０に対向する部分を容易に形成することができる。
【００２９】
また、可動天井２５が開口部１０の上部に対して往復変位可能なっており、可動床２４が開口部１０の下部に対して往復変位可能になっているので、可動天井２５及び可動床２４をかご室１２から引き出すだけで、かご室拡大部１６の天井及び床を容易に形成することができる。
【００３０】
また、閉塞体１３は、昇降路１の垂直投影面内において、拡大位置にあるときに一部が第１のかご４の領域に重なり、通常位置にあるときに第１のかご４の領域外に配置されているので、閉塞体１３を通常位置に変位させることにより第１のかご４と第２のかご５とがすれ違い可能に昇降路１内を昇降させることができるとともに、閉塞体１３を拡大位置に変位させることにより、第１のかご４が昇降される領域にまで第２のかご５を拡大させて運搬容積を大きくすることができる。従って、昇降路１内の空間の拡大を防止することができるとともに、第２のかご５の運搬容積を大きくすることができる。
【００３１】
なお、上記の例では、伸縮体はリンク構造体２３とされているが、伸縮可能な蛇腹体としてもよい。
【００３２】
また、上記の例では、各回動壁２２に係合可能な係合部３１が床板部３０の拡大側端部に設けられているが、各回動壁２２の下端部が摺動可能に連結されたレールあるいはガイドを床板部３０の拡大側端部に設けてもよい。この場合、レールあるいはガイドは、可動床２４が変位される方向に対して垂直に配置される。このようにすれば、各回動壁２２と可動床２４とが常に連結されているので、リンク構造体２３が引き伸ばされる方向への各回動壁２２の回動だけでなく、リンク構造体２３が縮まる方向への各回動壁２２の回動によっても、各回動壁２２に連動して可動床２４を変位させることができる。従って、各回動壁２２と可動床２４とをそれぞれ別個に変位させる手間をなくすことができ、各回動壁２２を回動させるだけで可動床２４を容易に変位させることができる。
【００３３】
また、上記の例では、各回動壁２２に係合可能な係合部３３が天井板部３２の拡大側端部に設けられているが、各回動壁２２の上端部が摺動可能に連結されたレールあるいはガイドを天井板部３２の拡大側端部に設けてもよい。この場合、レールあるいはガイドは、可動天井２５が変位される方向に対して垂直に配置される。このようにすれば、上記と同様に、各回動壁２２と可動天井２５とをそれぞれ別個に変位させる手間をなくすことができ、各回動壁２２を回動させるだけで可動天井２５を容易に変位させることができる。
【００３４】
また、上記の例では、かご室１２の外側へ各回動壁２２を押して回動させることにより可動床２４及び可動天井２５を変位させるようになっているが、可動床２４及び可動天井２５のそれぞれを変位させるための変位装置を第２のかご５に搭載してもよい。変位装置としては、例えば可動床２４あるいは可動天井２５が連結された部材（例えばボルトに螺合されたナット等）をモータ駆動によるボルトの回転により往復変位させる装置や可動床２４あるいは可動天井２５に連結されたピストンを往復変位させるエアシリンダ等が挙げられる。このようにすれば、可動床２４及び可動天井２５を自動で往復変位させることができる。また、上記のように、可動床２４あるいは可動天井２５に各回動壁２２をレールあるいはガイド等により摺動可能に連結すれば、各回動壁２２の回動も自動で行うことができ、かご室１２内から各回動壁２２を押したり引いたりする手間をなくすことができる。
【００３５】
また、上記の例では、拡大運転モードでの運転時に、第１のかご４が最上階に停止されるようになっているが、図６に示すように第１のかご４が最下階に停止されるようにしてもよい。この場合、第２のかご５は最下階を除く昇降区間を昇降される。さらに、第１のかご４が中間階に停止されるようにしてもよい。この場合、第２のかご５は中間階を除く昇降区間（中間階よりも上方及び下方の昇降区間のいずれか一方）を昇降される。
【００３６】
実施の形態２．
図７は、この発明の実施の形態２によるエレベータのかごを示す要部横断面図である。この例では、閉塞体１３は、実施の形態１に示す可動床２４及び可動天井２５と、開口部１０に対向し、開口部１０に対して往復変位可能な板状の対向壁４１と、開口部１０の各側部１０ａ，１０ｂ及び対向壁４１間にそれぞれ接続され、対向壁４１の変位により伸縮可能な伸縮体であるリンク構造体４２，４３とを有している。また、かご室壁２０のかご出入口１１に対向する部分（背面部）には、ガラス等の透明材がはめ込まれた窓４４が設けられている。
【００３７】
対向壁４１は、かご出入口１１の間口方向の投影面内において、開口部１０が内側に位置するように配置されている。また、対向壁４１は、かご室１２から離れる方向へ変位されることにより拡大位置に変位され、かご室１２に近づく方向へ変位されることにより通常位置に変位されるようになっている。さらに、対向壁４１は、拡大位置にあるときにかご室拡大部１６の一部（かご室拡大部１６の開口部１０に対向する壁面）とされ、通常位置にあるときに開口部１０を塞ぐかご室壁面部１７とされる。さらにまた、対向壁４１は、かご室１２から離れる方向への変位により係合部３１及び係合部３３（図２）のそれぞれに係合可能になっている。これにより、可動床２４及び可動天井２５（図２）は、対向壁４１のかご室１２から離れる方向への変位に伴ってかご室１２の外側へ引き出され、拡大位置へ変位されるようになっている。なお、側部１０ａは、かご室１２の奥行き方向について、側部１０ｂよりもかご出入口１１から離れた位置に設けられている。
【００３８】
リンク構造体４２，４３は、実施の形態１に示すリンク構造体２３と同様の構成とされている。また、リンク構造体４２は、対向壁４１のかご室１２に近づく方向への変位により、側部１０ａと対向壁４１との間に縮められるようになっている。リンク構造体４３は、対向壁４１のかご室１２に近づく方向への変位により、側部１０ｂと対向壁４１との間に縮められるようになっている。
【００３９】
また、リンク構造体４２，４３は、対向壁４１のかご室１２に離れる方向への変位によりそれぞれ引き伸ばされて、かご室対向部１６の一部とされるようになっている。この例では、拡大位置に変位されたリンク構造体４２，４３は、かご室拡大部１６のかご室１２と対向壁４１との間に配置された一対の側壁面とされている。他の構成は実施の形態１と同様である。
【００４０】
次に、動作について説明する。
通常運転時では、閉塞体１３は通常位置に変位されており、実施の形態１と同様に、第１のかご４及び第２のかご５は、昇降路１内で互いにすれ違い可能になっている。
【００４１】
例えば大きな荷物等を運搬する際には、実施の形態１と同様に、エレベータの運転を通常運転モードから拡大運転モードに切り替えた後、かご室１２の内部から外側へ対向壁４１を押し出す。これにより、リンク構造体４２，４３が引き伸ばされるとともに、可動床２２及び可動天井２５がかご室１２の外側へ引き出される。これにより、閉塞体１３は、通常位置から拡大位置へ変位され、かご室拡大部１６とされる。
【００４２】
この後、エレベータの運転を通常運転モードに戻す際には、対向壁４１をかご室１２側へ引き寄せ、実施の形態１と同様にして可動床２４及び可動天井２５をかご室１２側へ引き戻すことにより、閉塞体１３を拡大位置から通常位置へ変位させる。
【００４３】
このようなエレベータ装置における第２のかご５では、閉塞体１３は、開口部１０に対向し開口部１０に対して往復変位可能な対向壁４１と、開口部１０の側部１０ａ，１０ｂ及び対向壁４１間に接続され、対向壁４１の変位により伸縮可能なリンク構造体４２，４３とを有しているので、閉塞体１３が通常位置にあるときには、一枚の対向壁４１のみをかご室１２内に露出するようにすることができる。従って、各壁間の継ぎ目の数を少なくすることができ、かご室１２内の意匠性を向上させることができる。
【００４４】
また、側部１０ａ及び対向壁４１間に伸縮可能なリンク構造体４２が接続されているので、かご室１２の背面部に窓４４が設けられていても、閉塞体１３の一部がかご室１２内から窓４４を通して見えてしまうことを防止することができる。
【００４５】
なお、上記の例では、対向壁４１のかご室１２から離れる方向への変位により対向壁４１の下端部が可動床２４に、対向壁４１の上端部が可動天井２５にそれぞれ係合されるようになっているが、対向壁４１の下端部を可動床２４に、対向壁４１の上端部を可動天井２５にそれぞれ固定してもよい。
【００４６】
また、上記の例では、かご室１２の外側へ対向壁４１を押し出すことにより可動床２４及び可動天井２５を変位させるようになっているが、可動床２４及び可動天井２５のそれぞれを変位させるための変位装置を第２のかご５に搭載してもよい。また、対向壁４１の下端部を可動床２４に固定し、対向壁４１の上端部を可動天井２５に固定しておけば、可動床２４及び可動天井２５のいずれかを変位させるだけでよいので、変位装置の設置数を少なくすることができる。
【００４７】
実施の形態３．
図８は、この発明の実施の形態３によるエレベータのかごを示す要部横断面図である。この例では、開口部１０の側部（縁部）１０ａ及び対向壁４１間には、伸縮体である多段式スライド壁５１が接続されている。多段式スライド壁５１は、かご室壁２０の背面部に対してスライド可能に接続された第１の壁部５２と、第１の壁部５２に対してスライド可能に接続され、対向壁４１に固定された第２の壁部５３とを有している。第１の壁部５２及び第２の壁部５３は、対向壁４１が変位される方向へ往復変位可能になっている。
【００４８】
第１の壁部５２は、側部１０ａに固定された連結部材５４にスライド可能に接続されている。第２の壁部５３は、第１の壁部５２に固定された連結部材５５にスライド可能に接続されている。
【００４９】
多段式スライド壁５１は、対向壁４１がかご室１２から離れる方向へ変位されることにより引き伸ばされて拡大位置へ変位され、対向壁４１がかご室１２に近づく方向へ変位されることにより縮められて通常位置へ変位されるようになっている。なお、第１の壁部５２及び第２の壁部５３は、通常位置にあるときに、かご室壁２０の背面部にかご室１２の奥行き方向外側へ順に重ねられる。他の構成及び動作は実施の形態２と同様である。
【００５０】
このようなエレベータ装置における第２のかご５では、互いにスライド可能に接続された第１及び第２の壁部５２，５３を有する多段式スライド壁５１が伸縮体として用いられているので、実施の形態２と同様の効果を奏する。また、リンク構造体４２よりも部品点数を少なくすることができ、伸縮体の構造の簡素化を図ることができる。
【００５１】
なお、上記の例では、第１の壁部５２及び第２の壁部５３は、通常位置にあるときに、かご室壁２０の背面部からかご室１２の奥行き方向外側に順に重ねられるようになっているが、図９に示すように、第１の壁部５２がかご室壁２０の背面部内に収容され、第２の壁部５３が第１の壁部５２内に収容されるようにしてもよい。
【００５２】
実施の形態４．
図１０は、この発明の実施の形態４によるエレベータのかごを示す斜視図である。また、図１１は、図１０のエレベータのかごを示す要部縦断面図である。この例では、閉塞体１３は、実施の形態１と同様の一対の回動壁２２及びリンク構造体２３と、開口部１０の下部に回動自在に設けられた回動床６１と、開口部１０の上部に回動自在に設けられた回動天井６２とを有している。回動床６１は開口部１０の下部にヒンジ６３（図１１）を介して取り付けられ、回動天井６２は開口部１０の上部にヒンジ６４（図１１）を介して取り付けられている。
【００５３】
閉塞体１３は、回動床６１及び回動天井６２がかご室１２の外側へ回動されることにより、かご室拡大部１６（図１）としてかご室１２から突出する拡大位置へ変位され、回動側の端部が互いに近づく方向へ回動床６１及び回動天井６２が回動されることにより、拡大位置よりもかご室１２側に位置する通常位置へ変位されるようになっている。回動床６１及び回動天井６２は、かご室１２の外側への各回動壁２２の回動により各回動壁２２に押されてかご室１２の外側へ回動されるようになっている。
【００５４】
回動床６１及び回動天井６２は、閉塞体１３が拡大位置にあるときに、かご室拡大部１６の床及び天井とされ（図１１の実線）、閉塞体１３が通常位置にあるときに、回動壁２２及びリンク構造体２３のかご室１２の外側に重ねられる（図１１の二点破線）ようになっている。他の構成は実施の形態１と同様である。
【００５５】
次に、動作について説明する。
通常運転時では、閉塞体１３が通常位置に変位されている。この状態では、回動床６１及び回動天井６２は、各回動壁２２及びリンク構造体２３にかご室１２の外側で重ねられている。
【００５６】
例えば大きな荷物等を運搬する際には、運転モードを通常運転モードから拡大運転モードに切り替えて第１のかご４を最上階に停止させ、第２のかご５を最上階と異なる階に停止させる。
【００５７】
この後、かご室１２の内部から外側へ各回動壁２２を押し、各回動壁２２をかご室１２の外側へ回動させる。これにより、リンク構造体２３が引き伸ばされ、回動床６１及び回動天井６２がかご室１２の外側へ回動される。これにより、閉塞体１３は、通常位置から拡大位置へ変位され、かご室拡大部１６（図１）とされる。
【００５８】
運搬後、閉塞体１３を拡大位置から通常位置へ変位させ、エレベータの運転モードを通常モードに切り替える。
【００５９】
このようなエレベータ装置における第２のかご５では、回動床６１が開口部１０の下部に回動自在に設けられ、回動天井６２が開口部１０の上部に回動自在に設けられているので、かご室１２の天井及び床の構造を簡素化することができ、かご室１２の天井及び床のそれぞれの厚さを薄くすることができる。このことから、例えば昇降路１のピット深さ（最下階停止時のかご底面から昇降路底面までの深さ）あるいはオーバーヘッド寸法（最上階停止時のかご上面から昇降路上面までの寸法）を大きくする必要がなくなり、昇降路１内の空間の拡大を防止することができる。
【００６０】
なお、上記の例では、回動床６１及び回動天井６２がかご室１２の外側で各回動壁２２及びリンク構造体２３に重ねられるようになっているが、回動床６１及び回動天井６２がかご室１２の内側で各回動壁２２及びリンク構造体２３に重ねられるようにしてもよい。この場合、各回動壁２２は、かご室１２の外側への回動床６１及び回動天井６２の回動により、かご室１２の外側へ回動される。
【００６１】
また、回動床６１及び回動天井６２を回動させるためのモータを第２のかご５に搭載してもよい。このようにすれば、回動床６１及び回動天井６２を自動で回動させることができる。
【００６２】
また、上記の例では、実施の形態１での閉塞体１３、即ち一対の回動壁２２と、各回動壁２２間に接続された伸縮可能なリンク構造体２３とを有する閉塞体１３に回動床６１及び回動天井６２が適用されているが、実施の形態２での閉塞体１３、即ち対向壁４１と、開口部１０の側部１０ａ，１０ｂ及び対向壁４１間にそれぞれ接続された伸縮可能なリンク構造体４２，４３とを有する閉塞体１３に回動床６１及び回動天井６２を適用してもよい。
【００６３】
また、各上記実施の形態において、第１のかご４の構成を第２のかご５の構成と同様にしてもよい。この場合、かご室７に設けられた閉塞体は、昇降路１の垂直投影面内において、かご室１２の領域外に配置された通常位置と、一部がかご室１２の領域に重なる拡大位置との間で変位可能にされる。このようにすれば、第２のかご５だけでなく第１のかご４も拡大させることができ、昇降路１の水平断面積を拡大させずにエレベータ装置全体としての運搬容積をさらに大きくすることができる。
【００６４】
また、各上記実施の形態では、昇降路１の垂直投影面内において、第１のかご４及び第２のかご５が各かご出入口６，１１の間口方向に並んで配置されているが、昇降路１の垂直投影面内において、背面を互いに対向させて第１のかご４及び第２のかご５を配置してもよい。この場合、開口部１０はかご室１２の背面に設けられる。
【符号の説明】
【００６５】
１  昇降路、４  第１のかご、５  第２のかご、１０  開口部、１２  かご室、１３  閉塞体、１６  かご室拡大部、２２  回動壁、２３  リンク構造体（伸縮体）、２４  可動床、２５  可動天井、４１  対向壁、４２，４３  リンク構造体（伸縮体）、５１  多段式スライド壁（伸縮体）、６１  回動床、６２  回動天井。
【図１】
2010254479.tif 000003
【図２】
2010254479.tif 000004
【図３】
2010254479.tif 000005
【図４】
2010254479.tif 000006
【図５】
2010254479.tif 000007
【図６】
2010254479.tif 000008
【図７】
2010254479.tif 000009
【図８】
2010254479.tif 000010
【図９】
2010254479.tif 000011
【図１０】
2010254479.tif 000012
【図１１】
2010254479.tif 000013